(57)【要約】【課題】物入れの嵩張りや脱落がなく、また物入れを紛失するおそれもなく、収容空間からの荷物の抜き取りが容易なリュックサックを提供する。【解決手段】リュックサック１は、内部に物の収容空間Ｓを有し収容空間Ｓの上方が開閉可能なリュック本体１０と、リュック本体１０の背面に装着されたショルダーベルト２とを備えたものであり、リュック本体１０の収容空間Ｓ内に収まる着脱可能な物入れ３を備えている。物入れ３は、物入れ本体３０と、物入れ本体３０に連設され物入れ本体３０の上面の開放部上へ被せられる開閉可能な蓋３１とを備えている。物入れ本体３０は、蓋３１が開かれた状態でリュック本体１０内に支持されている。【選択図】図１
0003211217.tif 000002
【実用新案登録請求の範囲】
【請求項１】
内部に物の収容空間を有し前記収容空間の上方が開閉可能なリュック本体と、前記リュック本体の背面に装着されたショルダーベルトとを備えるリュックサックであって、前記リュック本体の収容空間内に収まる着脱可能な物入れを備え、前記物入れは、物入れ本体と、前記物入れ本体に連設され物入れ本体の上面の開放部上へ被せられる開閉可能な蓋とを備えており、前記物入れ本体は、前記蓋が開かれた状態でリュック本体内に支持されてなるリュックサック。
【請求項２】
前記リュック本体は、前記物入れの蓋を開放状態で固定するための第１の固定具と、前記物入れの物入れ本体を固定するための第２の固定具とを有する請求項１に記載のリュックサック。
【請求項３】
前記物入れは、前記蓋の外面に手提げ部が設けられている請求項１に記載のリュックサック。
【請求項４】
前記物入れは、前記蓋の内面にポケットが設けられている請求項１または２に記載のリュックサック。
【請求項５】
前記物入れは、前記物入れ本体の上面の開放部が施蓋された状態を保持するための保持具を備えており、前記保持具は、蓋にベルトを介して取り付けられた第１の連結片と、物入れ本体にベルトを介して取り付けられた第２の連結片とを含み、第１、第２の各連結片は互いに連結可能かつ分離可能となっている請求項１〜４のいずれかに記載のリュックサック。
【考案の詳細な説明】
【技術分野】
【０００１】
この考案は、リュックサックに関し、特に、子供が使用するのに適したリュックサックに関する。
【背景技術】
【０００２】
典型的なリュックサックは、リュックサックの本体部分（以下、「リュック本体」という。）の内部に物の収容空間を有し、リュック本体の上面が開閉できるようになっている。リュック本体の背面にはショルダーベルトが装着されている。収容空間の内部は仕切られ、適所にポケットなどが設けられている。収容空間の物の収容量には限りがあるため、前面に物入れを面ファスナーにより着脱自在に取り付けて、収容量を大きくしたものも提案されている（例えば特許文献１参照）。
【０００３】
上記のリュックサックでは、前記物入れをリュック本体より取り外し、これをウェストポーチとしてそれ単独で使用することも可能である。収容量を大きくする必要がある場合はリュック本体の前面に前記物入れを装着した形態で使用する。大きな収容量を必要としない場合や物入れを単独で使用したい場合にはリュック本体より物入れを取り外す。
【先行技術文献】
【特許文献】
【０００４】
【特許文献１】特開平１０−２０１５１１号公報
【考案の概要】
【考案が解決しようとする課題】
【０００５】
しかし、リュック本体の前面に物入れを外付けすると、物入れがリュック本体の前面より突き出て嵩張り、物入れに衝撃が加わると、面ファスナーが外れて物入れが脱落するおそれがある。物入れを使用しないときは、物入れを別に保管することが必要であり、物入れの紛失を招くおそれがある。
【０００６】
子供がリュックサックを使用する場合、子供の年齢や体力を考慮する必要があり、子供の肩に過度の負荷が掛からないように、収容空間に必要以上に荷物を詰め込まないことが必要となる。子供がリュックサックを背負って長時間歩くような場合、荷物の重量が嵩むと、子供を極度に疲労させるため、保護者はリュックサックより荷物を抜き取って軽量化してやる必要がある。抜き取られた荷物は行き場がないため、保護者はあらかじめ手提げバッグなどを用意しておく必要もある。
【０００７】
この考案は、上記の問題に着目してなされたもので、物入れの嵩張りや脱落がなく、また物入れを紛失するおそれもなく、収容空間からの荷物の抜き取りが容易なリュックサックを提供することを目的とする。
【課題を解決するための手段】
【０００８】
この考案によるリュックサックは、内部に物の収容空間を有し前記収容空間の上方が開閉可能なリュック本体と、前記リュック本体の背面に装着されたショルダーベルトとを備えたものであって、前記リュック本体の収容空間内に収まる着脱可能な物入れを備えている。前記物入れは、物入れ本体と、前記物入れ本体に連設され物入れ本体の上面の開放部上へ被せられる開閉可能な蓋とを備えている。前記物入れ本体は、前記蓋が開かれた状態でリュック本体内に支持されている。
【０００９】
上記した構成のリュックサックでは、物入れはリュック本体内に設けられるので、物入れがリュック本体の前面より突き出て嵩張ったり、衝撃を受けてリュック本体より脱落したりすることがない。また、物入れの保管も必要がなく、物入れの紛失を招くおそれもない。さらに、物入れは、収容空間に蓋が開かれた状態でリュック本体に支持されるもので、リュック本体に荷物を詰めるとき、荷物の一部または全部が物入れ本体に収まる。このリュック本体より荷物を抜き取って軽量化する場合、荷物は物入れごとリュック本体より抜き取られるので、荷物の詰め替えが不要であり、あらかじめ手提げバッグなどを用意しておく必要もなく、取り出された物入れはそのまま手持ちされる。
【００１０】
この考案の好ましい実施態様においては、前記リュック本体は、前記物入れの蓋を開放状態で固定するための第１の固定具と、前記物入れの物入れ本体を固定するための第２の固定具とを有している。
【００１１】
この実施態様によると、物入れがリュック本体の収容空間に収まった状態では、物入れ本体がリュック本体に固定され、蓋が開放状態でリュック本体に固定されているので、リュック本体から物入れが脱落するおそれがないうえ、物入れに対する荷物の出し入れが円滑に行える。
【００１２】
好ましい実施態様においては、前記物入れは、前記蓋の上面に手提げ部が設けられたものであるが、そのような手提げバッグに限らず、ウェストポーチやショルダーバッグであってもよい。
【００１３】
好ましい実施態様においては、前記物入れは、前記蓋の内面にポケットが設けられている。このポケットは、上端が開放された形態のものであってもよく、開放部にファスナーが設けられた形態のものであってもよい。また、ポケットの数は、１個であっても、それ以上であってもよい。
【００１４】
この考案の好ましい実施態様においては、前記物入れは、前記物入れ本体の上面の開放部が施蓋された状態を保持するための保持具を備えている。前記保持具は、蓋にベルトを介して取り付けられた第１の連結片と、物入れ本体にベルトを介して取り付けられた第２の連結片とを含み、第１、第２の各連結片は互いに連結可能かつ分離可能となっている。
【００１５】
この実施態様によると、物入れをリュック本体より取り出してそのまま手持ちするとき、第１の連結片と第２の連結片とを連結することで、物入れ本体の開放部が施蓋状態となるので、内部の荷物が不用意に脱出しない。
【考案の効果】
【００１６】
この考案によれば、物の収容空間内に物入れが設けられているので、物入れがリュック本体の前面より突き出て嵩張ったり、脱落したりすることがない。また、物入れの保管も必要がなく、物入れの紛失を招くおそれもない。さらに、子供がリュックサックを使用する場合、リュック本体の物の収容空間より荷物を物入れごと抜き取ってリュック本体を軽量化できるもので、子供の疲労を軽減でき、取り出した物入れはそのまま手持ちでき、あらかじめ手提げバッグなどを用意しておく必要がない。
【図面の簡単な説明】
【００１７】
【図１】物入れが取り付けられた状態のリュックサックの外観を示す斜視図である。
【図２】リュック本体内に固定されたときの物入れの形態を示す正面図である。
【図３】リュック本体内に固定されたときの物入れの形態を示す背面図である。
【図４】リュック本体内に固定されたときの物入れの形態を示す側面図である。
【図５】物入れが取り出された状態でのリュックサックの外観および内部構造を示す斜視図である。
【図６】物入れが取り出された状態でのリュックサックの内部構造を示す斜視図である。
【図７】施蓋状態の物入れの外観を示す斜視図である。
【図８】開放状態の物入れの外観と内部構造を示す斜視図である。
【図９】第１の係止片および第２の連結片の構成を示す側面図である。
【図１０】第１の係止片および第２の連結片の構成を示す平面図である。
【図１１】第２の係止片および第１の連結片の構成を示す側面図である。
【考案を実施するための形態】
【００１８】
図１は、リュックサック１の一実施形態を示している。リュックサック１は、リュック本体１０と、リュック本体１０の背面に装着された帯状のショルダーベルト２とを備えている。ショルダーベルト２は使用者の体格や好みに応じて長さ調節が可能となっている。リュック本体１０は、前面部１１と後面部１２と側面部１３と底面部１４とで囲まれる物の収容空間Ｓを内部に有している。側面部１３は上半分が前後に分離されて開放可能となっており、その開放縁に沿って図示しないファスナーが取り付けられている。収容空間Ｓはファスナーを咬み合わせることで閉じられた状態となり、ファスナーを外すことで開かれた状態となる。リュック本体１０およびショルダーベルト２は、例えばナイロン、ポリエステルなどを素材とする布地を縫製したものであるが、材質はこれに限られず、皮革などであってもよい。
【００１９】
リュック本体１０の収容空間Ｓ内には物入れ３が収められて支持されている。物入れ３の材質はリュック本体１０に合わせるのが望ましいが、それに限られるものではない。物入れ３はリュック本体１０に対して着脱が可能であり、収容空間Ｓに収まった状態で、後述する第１、第２の各固定具４，５により固定されている。
【００２０】
物入れ３は、図２〜図４に示されるように、袋状をなす物入れ本体３０と、物入れ本体３０に一連一体に形成される開閉可能な蓋３１とを備えている。蓋３１は物入れ本体３０の後面部３４に連続している。物入れ３は、蓋３１が開かれた状態でリュック本体１０の収容空間Ｓに設置される。物入れ本体３０の内部は物の収容が可能であり、上面の開放部３２より物を出し入れする。物入れ３を取り出して所持するとき、蓋３１は物入れ本体３０の上面の開放部３２上へ被せられて前面部３３上に重ねられる。
【００２１】
図２〜図４は、物入れ３がリュック本体１０の収容空間Ｓに取り付けられたときの形態を示している。蓋３１は物入れ本体３０の上方に開かれており、リュック本体１０の後面部１２の内面に沿って支持される。物入れ本体１０はリュック本体１０の収容空間Ｓに収まる形態を有しており、物入れ本体１０の底面部３５はリュック本体１０の底面部１４上に支持される。
【００２２】
蓋３１の内面にはファスナー付きのポケット３６が設けられ、物が入れられるようになっている。さらに、種々の物品を支持するのに便利な部品３７，３８が取り付けられている。蓋３１の外面には、帯状布よりなる手提げ部３９が縫い付けられている。
【００２３】
リュック本体１０には、図５および図６に示されるように、物入れ３の蓋３１を開放状態で後面部１２上に固定するための第１の固定具４と、物入れ３の物入れ本体３０を底面部１４上に固定するための第２の固定具５とが設けられている。なお、図５，６において、１５は物を入れるためのポケットであり、物入れ３が取り出されたときに使用される。
【００２４】
第１の固定具４は、リュック本体１０の後面部１２の上端部に基端部が取り付けられた布製のベルト４１と、ベルト４１の先端部に取り付けられた第１の係止片４０とを備えたものである。第１の係止片４０は、図７に示される物入れ３の第１の連結片７と連結が可能である。
【００２５】
第２の固定具５は、リュック本体１０の底面部１４に基端部が取り付けられた布製のベルト５１と、ベルト５１の先端部に取り付けられた第２の係止片５０とを備えたものである。第２の係止片５０は、図７，８に示される物入れ３の第２の連結片８と連結が可能である。
【００２６】
図７に示されるように、物入れ３に設けられる第１の連結片７と第２の連結片８とは、物入れ本体３０の上面の開放部３２が施蓋された状態を保持するための保持具６を構成する。第１の連結片７は物入れ３の蓋３１にベルト７１を介して取り付けられ、第２の連結片８は物入れ３の物入れ本体３０にベルト８１を介して取り付けられ、互いに連結が可能である。
【００２７】
リュック本体１０の第１の係止片４０と物入れ３の第２の連結片８とは同一形態であり、その具体的な構成は図９，１０に示してある。リュック本体１０の第２の係止片５０と物入れ３の第１の連結片７とは同一形態であり、その具体的な構成は図１１に示してある。第１、第２の各係止片４０，５０および第１、第２の各連結片７，８はいずれも合成樹脂成形体である。
【００２８】
図９および図１０において、第１の固定具４の第１の係止片４０は、基部４２と、基部４２より小さな肉厚であって後述する第１の連結片７の係止溝７５に挿脱される突片４４とを一体に備えている。基部４２にはベルト４１の端部を通して止着されるベルト通し孔４３が形成されている。突片４４には円形孔４５が形成され、円形孔４５内に細幅の支持部４６を介して円板状の嵌合板４７が支持されている。嵌合板４７は円形孔４５より一側へ突出している。支持部４６は弾性を有し、嵌合板４７が押圧されたとき円形孔４５へ嵌まり込み、押圧力が解除されたとき、円形孔４５より突出した元の状態に戻り、後述する物入れ３の第１の連結片７の嵌合孔７５に嵌まり込む。
【００２９】
物入れ３の第２の連結片８も上記の第１の係止片４０と同様の構成であり、基部８２、ベルト通し孔８３、突片８４、円形孔８５、支持部８６、および嵌合板８７の各構成を有している。なお、これらの各構成は図９，１０に括弧書きすることで、第２の連結片８の図示を省略する。
【００３０】
図１１において、第２の固定具５の第２の係止片５０は、基部５２と、二股状の突壁部５４ａ，５４ｂとを一体に備えている。基部５２にはベルト５１の端部を通して止着されるベルト通し孔５３が形成されている。突壁部５４ａ，５４ｂ間には、第２の連結片８の突片８４の挿脱が可能な溝幅を有する係止溝５５が形成されている。一方の突壁部５４ｂには前記嵌合板８７が嵌入することが可能な形状および大きさの嵌合孔５６が形成されている。
【００３１】
物入れ３の第１の連結片７も上記と同様に構成であり、基部７２、ベルト通し孔７３、突壁部７４ａ，７４ｂ、係止溝７５、嵌合孔７６の各構成を有している。なお、これらの各構成は図１１に括弧書きすることで、第１の連結片７の図示を省略する。
【００３２】
物入れ３をリュック本体１０の収容空間Ｓ内に固定するには、第１の固定具４の第１の係止片４０は物入れ３の第１の連結片７に、第２の固定具５の第２の係止片５０は物入れ３の第２の連結片８に、それぞれ連結する。
【００３３】
第１の係止片４０の突片４４を物入れ３の第１の連結片７の係止溝７５に挿入すると、突片４４の嵌合板４７は第１の連結片７の突壁部７４ｂにより円形孔４５に押し込まれる。嵌合板４７が第１の連結片７の嵌合孔７６の位置まで進入すると、押圧が解除されて支持部４６が弾性復帰し、嵌合板４７が嵌合孔７６に嵌合する。これにより第１の係止片４０と第１の連結片７とが連結される。嵌合板４７を指先で押圧すれば、嵌合が外れて連結を解除し得る。
【００３４】
同様に、第２の係止片５０の係止溝５５に物入れ３の第２の連結片８の突片８４を挿入すると、突片８４の嵌合板８７は第２の係止片５０の突壁部５４ｂにより円形孔８５に押し込まれる。嵌合板８７が第２の係止片５０の嵌合孔５６の位置まで進入すると、押圧が解除されて支持部８６が弾性復帰し、嵌合板８７が嵌合孔５６に嵌合する。これにより第２の係止片５０と第２の連結片８とが連結される。嵌合板８７を指先で押圧すれば、嵌合が外れて連結を解除し得る。
【００３５】
リュック本体１０より取り出した物入れ３の物入れ本体３０を施蓋するには、物入れ３に設けられた第１、第２の各連結片７，８を連結する。
【００３６】
第２の連結片８の突片８４を第１の連結片７の係止溝７５に挿入すると、突片８４の嵌合板８７は第１の連結片７の突壁部７４ｂにより円形孔８５に押し込まれる。嵌合板８７が第１の連結片７の嵌合孔７６の位置まで進入すると、押圧が解除されて支持部８６が弾性復帰し、嵌合板８７が嵌合孔７６に嵌合する。これにより第１の連結片７と第２の連結片８とが連結される。嵌合板８７を指先で押圧すれば、嵌合が外れて連結を解除し得る。
【００３７】
上記した構成のリュックサック１は、物入れ３がリュック本体１０の収容空間Ｓに収められた状態にあるので、物入れ３がリュック本体１０の前面より突き出て嵩張ったり、衝撃を受けてリュック本体より脱落したりすることがない。また、物入れ３を別に保管する必要性もなく、物入れ３の紛失を招くおそれもない。物入れ３はリュック本体１０の収容空間Ｓに蓋３１が開かれた状態で保持されているので、リュック本体１０に荷物を詰めるとき、荷物の一部または全部を物入れ３の物入れ本体３０に収める。
【００３８】
物入れ３がリュック本体１０の収容空間Ｓに収まった状態において、物入れ３は物入れ本体３０が第２の固定具５によりリュック本体１０に固定され、蓋３１が第１の固定具４により開放状態でリュック本体１０に固定されているので、リュック本体１０から物入れ３が脱落するおそれはなく、また、物入れ３に対する荷物の出し入れが円滑に行える。
【００３９】
リュック本体１０より荷物を抜き取って軽量化する場合、荷物は物入れごとリュック本体１０より抜き取るので、荷物の詰め替えが不要であり、あらかじめ手提げバッグなどを用意しておく必要もない。物入れ３をリュック本体１０より取り出してそのまま手持ちするとき、第１の連結片７と第２の連結片８とを連結することで、物入れ本体３０の上面の開放部３２が施蓋状態となるので、内部の荷物が不用意に脱出しない。
【符号の説明】
【００４０】
１    リュックサック
２    ショルダーベルト
３    物入れ
４    第１の固定具
５    第２の固定具
６    保持具
７    第１の連結片
８    第２の連結片
１０  リュック本体
３０  物入れ本体
３１  蓋
３２  開放部
３６  ポケット
３９  手提げ部
７１，７２  ベルト
Ｓ    収容空間
【図１】
0003211217.tif 000003
【図２】
0003211217.tif 000004
【図３】
0003211217.tif 000005
【図４】
0003211217.tif 000006
【図５】
0003211217.tif 000007
【図６】
0003211217.tif 000008
【図７】
0003211217.tif 000009
【図８】
0003211217.tif 000010
【図９】
0003211217.tif 000011
【図１０】
0003211217.tif 000012
【図１１】
0003211217.tif 000013